(57)【要約】【課題】遊技領域に打ち込まれた遊技球が特定の遊技釘に衝突する際の撃力を減少させることにより、遊技釘が折れるのを防止できる遊技機を提供する。【解決手段】  前面に遊技領域を形成する透明樹脂製の遊技盤を備える遊技機において、遊技球を前記遊技盤の裏面側を流下させて前記遊技領域に復帰させる裏面流路を形成し、前記裏面流路は、ワープ流路の上流に遊技球を誘導して復帰させる誘導出口を設けた。【選択図】図４
2011235186.tif 000002
【特許請求の範囲】
【請求項１】
前面に遊技領域を形成する透明樹脂製の遊技盤を備える遊技機において、
遊技球を前記遊技盤の裏面側を流下させて前記遊技領域に復帰させる裏面流路を形成し、
前記裏面流路は、ワープ流路の上流に遊技球を誘導して復帰させる誘導出口を有することを特徴とする遊技機。
【発明の詳細な説明】
【技術分野】
【０００１】
本発明は、遊技領域が形成される遊技盤を備える遊技機に関する。
【背景技術】
【０００２】
従来、遊技球を使用したパチンコ機等の遊技機として、遊技領域の略中央に液晶等の表示装置を設け、この表示装置において複数の図柄を変動表示させるものが知られている。通常、この表示装置の上部には、表示装置の前面を遊技球が流下することにより変動表示装置の視認が妨げられないように、遊技球が表示装置の左右側方に流下するように案内する廂状の鎧部が配設される。
また、透明樹脂製の遊技盤を用い、遊技盤の後方に表示器を配置して遊技領域の全面において画像表示を可能とした遊技機（いわゆる全面液晶タイプ）においても、遊技領域の略中央において変動表示が行われるため、この変動表示がなされる領域の上部には鎧部が配設される。
【０００３】
このような遊技機において、遊技の興趣を向上させるため、メインの変動表示が行われる変動表示領域は大きくなる傾向にあり、これに伴い鎧部も大きくする必要がある。
そして、鎧部に打ち込まれた遊技球は、鎧部に沿って流下する間は遊技釘に衝突しないため、鎧部が大きくなると遊技球の流下速度は速くなる。その結果、鎧部から落下した遊技球は鎧部の下流側にある遊技釘に勢いよく衝突することとなり、特定の遊技釘が折れやすくなるという問題が生じる。
【０００４】
遊技盤に植設された遊技釘が折れるのを防止する技術としては、例えば、特許文献１がある。特許文献１では、遊技釘の構造を変えることで、遊技釘が折れるのを防止するようにしている。
【特許文献１】特開２００７−１０５３１２号公報
【発明の開示】
【発明が解決しようとする課題】
【０００５】
しかしながら、上記特許文献１に記載の遊技機であっても、特定の遊技釘に遊技球が衝突するときに撃力が加わることに変わりなく、このため遊技機を長期に使用する場合は、やはり釘が折れてしまうという問題が生じる。
【０００６】
本発明は、遊技領域に打ち込まれた遊技球が特定の遊技釘に衝突する際の撃力を減少させることにより、遊技釘が折れるのを防止できる遊技機を提供することを目的とする。
【課題を解決するための手段】
【０００７】
上記目的を達成するため、請求項１に記載の発明は、
前面に遊技領域を形成する透明樹脂製の遊技盤を備える遊技機において、
遊技球を前記遊技盤の裏面側を流下させて前記遊技領域に復帰させる裏面流路を形成し、
前記裏面流路は、ワープ流路の上流に遊技球を誘導して復帰させる誘導出口を有することを特徴とする。
【０００８】
これにより、遊技球は、遊技盤前面と裏面流路に分別して流下されるので、特定の遊技釘に衝突する際の撃力は分散される（特定の遊技釘の異なる部位に撃力が加わる）こととなり、この特定の遊技釘が折れるのを防止することができる。また、遊技球が裏面流路を流下する場合でもワープ流路への入賞の機会が与えられる。また、ワープ流路に流入するときは遊技盤の前面を通るため、遊技球がワープ流路に流入するのを直接視認できるので、従来機に比較して興趣をそがれない。
【０００９】
本出願に係る他の発明は、遊技領域が形成される遊技盤の前面に、遊技球が所定の遊技領域に流下するように案内する廂状の鎧部が配設された遊技機において、
前記遊技領域内で前記鎧部に沿って遊技球を流下させる通常流路と透明の隔壁によって区画され、遊技球を前記遊技盤の裏面側を流下させて前記遊技領域に復帰させる裏面流路を形成し、
前記隔壁の前記鎧部下流近傍に、前記通常流路と前記裏面流路の両方に臨むように遊技釘を植設し、
前記鎧部に到達した遊技球は、前記通常流路又は前記裏面流路のいずれかを流下するように分別され、前記通常流路を流下するときは前記遊技釘の前記隔壁前面側に衝突し、前記裏面流路を流下するときは前記遊技釘の前記隔壁背面側に衝突するように構成する。
【００１０】
これにより、遊技球は、通常流路と裏面流路のいずれかに分別されて流下し、鎧部下流に植設された遊技釘の異なる部位に衝突するので、遊技釘の一カ所に撃力が加わっていた従来の遊技機に比べて遊技釘が折れにくくなる。
また、隔壁は透明の部材で形成されているので、裏面流路を流下する遊技球を視認することができる。したがって、遊技球が遊技盤の裏面を流下することで遊技球の挙動を視認できなくなり、遊技の興趣が損なわれることはない。
【００１１】
本出願の他の発明は、上記の発明において、
前記遊技釘は、遊技球の流下を乱雑ならしめるため、前記隔壁に複数本植設されることを特徴とする。
これにより、遊技球の挙動を複雑にできるので、従来の遊技機に比較して遊技球の挙動に差はないため、遊技の興趣がそがれる虞はない。
【００１２】
本出願に係るさらに他の発明は、上記の発明において、
前記通常流路及び前記裏面流路の下流に、遊技球が通過又は入賞する入賞具を設け、
前記裏面流路は、前記入賞具の上流に遊技球を誘導して復帰させる第１の誘導出口を有することを特徴とする。
これにより、遊技球が裏面流路を流下する場合でも入賞具への入賞の機会が与えられる。また、入賞具に入賞するときは遊技盤の前面を通るため、遊技球が入賞するのを直接視認できるので、従来機に比較して興趣をそがれることはない。
【００１３】
本出願に係るさらに他の発明は、上記の発明において、
前記通常流路及び前記裏面流路の下流にワープ流路を設け、
前記裏面流路は、前記ワープ流路の上流に遊技球を誘導して復帰させる第２の誘導出口を有することを特徴とする。
これにより、遊技球が裏面流路を流下する場合でもワープ流路への入賞の機会が与えられる。また、ワープ流路に流入するときは遊技盤の前面を通るため、遊技球がワープ流路に流入するのを直接視認できるので、従来機に比較して興趣をそがれない。
【００１４】
本出願に係るさらに他の発明は、上記の発明において、
前記裏面流路は、前記遊技釘が植設された領域より上流に、前記遊技釘に遊技球が直接当たるのを防ぐ緩衝部を有することを特徴とする。
これにより、裏面流路を流下する遊技球の流下速度は緩衝部で遅くなり、遊技釘に加わる撃力は緩和されるので、さらに遊技釘は折れにくくなる。
【００１５】
本出願に係るさらに他の発明は、上記の発明において、
透明樹脂製の遊技盤を用い、該遊技盤の後方に表示装置を配置し、遊技領域の全面において前記表示装置による画像表示を可能とし、
前記隔壁は、前記透明樹脂製の遊技盤によりなることを特徴とする。
全面液晶タイプの遊技機の場合には、透明な遊技盤を隔壁として利用することができるので、裏面流路を形成するのが簡単となる。
【００１６】
本出願に係るさらに他の発明は、上記の発明において、
前記隔壁に植設される遊技釘は、前記隔壁の前面側と背面側に分離可能であることを特徴とする。
これにより、遊技釘の植設作業が極めて容易となる。特に、全面液晶タイプの遊技機の遊技盤を隔壁として用いる場合に有効である。
【発明の効果】
【００１７】
本発明によれば、遊技球は、遊技盤前面と裏面流路に分別して流下されるので、特定の遊技釘に衝突する際の撃力は分散される（特定の遊技釘の異なる部位に撃力が加わる）こととなり、この特定の遊技釘が折れるのを防止することができる。
【図面の簡単な説明】
【００１８】
【図１】本実施形態の遊技機の全体構成を示す正面図である。
【図２】遊技機を背面から見た斜視図である。
【図３】クリア部材保持枠及び遊技盤を取り外した状態の前面枠を前面側から見た斜視図である。
【図４】遊技盤の正面図である。
【図５】遊技盤を背面側から見た斜視図である。
【図６】裏面流路形成部材を取り外した状態の遊技盤を背面側から見た斜視図である。
【図７】裏面流路形成部材４０を右前方から見た分解斜視図である。
【図８】裏面流路形成部材４０を左後方から見た分解斜視図である。
【図９】裏面流路形成部材４０を左側方から見た側面図である。
【図１０】通常流路Ｒ１と裏面流路Ｒ２を上方から見て模式的に示した平面図である。
【図１１】通常流路Ｒ１を流下する遊技球の挙動の一例を示す説明図である。
【図１２】裏面流路Ｒ２を流下する遊技球の挙動の一例を示す説明図である。
【図１３】裏面流路Ｒ２を流下する遊技球の挙動の一例を示す説明図である。
【発明を実施するための最良の形態】
【００１９】
以下、本発明の実施形態について図面を参照して説明する。本実施形態では、本発明に係る遊技機の適例としてのパチンコ遊技機について説明を行う。
【００２０】
図１から５に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００２１】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、クリア部材保持枠１４０の下側に取り付けられた発射操作ユニット１５０と、前面枠本体１３０の裏面側に回動可能に軸支され、表示ユニット１７０を備える裏機構枠１６０と、を有する。
【００２２】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち、遊技盤１は、前面枠本体１３０に嵌め込まれることで前面枠１２０に取り付けられている。
【００２３】
前面枠本体１３０の開口部１３１、すなわち、前面枠本体１３０の中央より少し下側から上端部にわたる部分には、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２４】
クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。
【００２５】
クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカ５８，５８などが設けられている。
【００２６】
前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部を構成するとともに、クリア部材保持枠１４０の施錠装置の一部を構成する。鍵穴１４３に鍵を入れて一方（例えば、左回り）に回すと前面枠本体１３０の施錠が解除され、他方（例えば、右回り）に回すとクリア部材保持枠１４０の施錠が解除されるようになっている。
【００２７】
発射操作ユニット１５０は、左右側部のうちの一側部となる左側部を前面枠本体１３０に軸着されて、左右方向に回動して開閉自在な開閉パネル１５１とその下の下部パネル１５２とからなる。
【００２８】
開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。
【００２９】
下部パネル１５２には、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６、音声を出力するスピーカ５８などが設けられている。
【００３０】
裏機構枠１６０は、前面枠本体１３０の裏面側であって、遊技盤１が嵌め込まれた開口部１３１の上端部から中央より少し下側にわたる部分に、前面枠本体１３０の裏面側を覆うように配置されている。
【００３１】
裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
なお、裏機構枠１６０と前面枠本体１３０の連結部分は着脱自在であって、前面枠本体１３０、裏機構枠１６０はそれぞれユニット単位で交換やメンテナンスが可能となっている。
【００３２】
前面枠本体１３０の裏面側であって、後述する遊技盤１が嵌め込まれる開口部１３１の下方には、排出ユニット１９０による賞球の排出、発射装置による遊技球の発射を制御する排出発射制御装置３４、遊技機１００内の各装置に電力を供給する電源回路としての電源供給装置３７が取り付けられている。
【００３３】
なお、図示を省略するが、前面枠本体１３０には、各部材の取付位置に各部材を取り付けるための構造が設けられている。例えば、取り付けられた部材を囲むように補強用のリブが形成されたり、ビス等による部材の取り付けのためのボス等が形成されたりしている。
【００３４】
裏機構枠１６０は、裏機構枠本体１６１と、画像を表示する画像表示装置としての表示ユニット１７０を案内するためのガイド部１６２とを有し、表示ユニット１７０の他、表示ユニット１７０を制御する演出制御装置３３、賞球などを排出する排出装置１９０と排出装置１９０に遊技球を供給する貯留タンク１９２が設けられている。
【００３５】
また、裏機構枠１６０は、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。
すなわち、裏機構枠１６０に表示ユニット１７０が配設されることで、表示ユニット１
７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００３６】
裏機構枠本体１６１は所定の厚みを有し、この裏機構枠本体１６１の前後面に種々の機構体が取り付けられている。
裏機構枠本体１６１の前面には、表示ユニット１７０を前側に付勢する表示ユニット付勢手段をなす付勢部材としての圧縮コイルばね（図示略）を収納する後側が閉鎖された筒状の付勢部材収納部１８１，１８１（裏面側のみを図示）や、裏機構枠本体１６１を補強するための補強リブが形成されている。また、裏機構枠本体１６１の後面部１６１ａの背面には、演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００３７】
この裏機構枠本体１６１の前側には、それぞれコ字状のガイド部１６２，１６２が左右の側面を前側に延長するように取り付けられている。そして、後面部１６１ａおよび周囲壁１８７、ガイド部１６２，１６２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。
すなわち、ガイド部１６２，１６２は裏機構枠本体１６１における後面部１６１ａの左右端部の各々に設けられ、周囲壁１８７とともに表示ユニット収納部１６８の側面部をなす。
【００３８】
表示ユニット収納部１６８には、画像表示面が前側（開口した側）となるように表示ユニット１７０が配設されており、裏機構枠１６０を遊技盤１の裏面に臨むように配することで、遊技盤１の裏面側に表示ユニット１７０の画像表示面１７１が臨むようになっている。
【００３９】
表示ユニット１７０は、略矩形板状に形成された液晶表示パネル１７１と、この液晶表示パネル１７１が表示される、前面側が開口した矩形箱状（額縁状）に形成された金属製の表示ユニットケース（図示略）と、を有する。そして、表示ユニットケースの前面側から液晶表示パネル１７１の画像表示面を有する前面が露出している。
【００４０】
裏機構枠１６０の後面部１６１ａの背面（裏面）には、前方に窪んで後方に開口した略矩形状の凹部である演出制御装置配設部１６５が形成され、ここに液晶表示パネル１７１における表示を制御する演出制御装置３３が配設されている。
なお、演出制御装置３３は、前面側に演出データ基板と接続用のコネクタ部３３ｍがボックスから露出されている。
【００４１】
裏機構枠本体１６１の上面には、遊技機１００が設置される図示しない島設備に設けられた供給装置から供給される遊技球を一時貯留し、排出装置１９０に供給する貯留タンク１９２が取り付けられる。
【００４２】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口（図示略）が形成されている。
【００４３】
貯留タンク１９２の排出口は、後面部１６１ａの背面に位置しており、後面部１６１ａの背面に形成された流路形成凹部１８４には、この排出口に連通した導出流路を形成する導出流路形成部材１９５，１９６が取り付けられている。
この導出流路は、排出口から排出された遊技球を裏機構枠１６０の右端部へ誘導するとともに、裏機構枠１６０の右端部においてさらに下方へ誘導するように形成されており、その下流側端部は裏機構枠１６０の裏面に設けられた排出装置１９０に接続されている。また、貯留タンク１９２に隣接して、遊技機外部の装置（管理装置）と接続するための汎用外部出力端子が設けられている。
【００４４】
排出装置１９０は、裏機構枠本体１６１の裏面側から見た右端部における上下方向の略中央に形成された排出装置配設凹部１８５に取り付けられている。
この排出装置１９０は、上部に導出流路に接続する遊技球を受け入れる流入口を、下部に下部流路に接続する遊技球を排出する排出口を備えており、排出発射制御装置３４が遊技制御装置３０の制御の下で排出装置１９０を作動させることにより、所定数の遊技球を下部流路に排出する。
【００４５】
排出装置１９０の排出口に接続した下部流路は、裏機構枠１６０の裏面側から見た右端に沿って取り付けられた下部流路形成部材１９７によって形成され、排出装置１９０から排出された遊技球を下方に誘導する。
この下部流路の下流側端部は、発射操作ユニット１５０の前面に形成された上皿１５３に連通しており、排出装置１９０から排出された所定数の遊技球が上皿１５３排出される。
なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００４６】
図４、５に示すように、遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有する。この第１遊技領域１ａ内に発射装置（図示略）から遊技球を発射して遊技を行うようになっている。
【００４７】
遊技盤本体１ｂの前面側には、第１遊技領域１ａを区画する遊技領域区画壁９を備える遊技領域区画部材８，８，…が取り付けられている。
この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００４８】
遊技領域区画部材８，８，…には、遊技盤１を前面枠本体１３０に形成された開口部１３１に対して着脱可能とする係合凹部、固定凹部（ともに図示略）が形成されている。
すなわち、前面側から見て左側の上下にある遊技領域区画部材８，８には、前面枠本体１３０に設けられた係合部材（図示略）が係合可能な係合凹部が形成され、遊技盤１の前面側から見て右側の上下にある遊技領域区画部材８，８には、前面枠本体１３０に設けられた固定部が係合可能な固定凹部が形成されている。そして、前面枠本体１３０に形成された開口部１３１に対して、前面側から係合凹部を係合部材に係合させ、この係合部分を軸として他端部を後方に回動させて開口部１３１に収容し、固定凹部に固定部を係合させることで遊技盤１が前面枠本体１３０に固定されるようになっている。
【００４９】
遊技盤裏面構成部材８０は、遊技盤本体１ｂの周囲に沿う矩形状をしており、不透明又は半透明とされた合成樹脂（例えば、ポリカーボネートやＡＢＳ）からなる。また、遊技盤裏面構成部材８０における遊技盤本体１ｂの裏面に沿って配されるベース盤８１の略中央部には、遊技盤本体１ｂに形成された第１遊技領域１ａの大部分と重なるように略矩形状の視認開口８７が形成されている。
【００５０】
ベース盤８１の裏面側には、視認開口８７の左右及び下側に沿って後方に突出する表示領域区画壁８２が形成されており、また上側には、演出部材を備え、遊技盤装飾装置（図示略）の一部をなす演出装置２５が配されている。これによって前後方向に沿った筒状の空間が形成されている。
【００５１】
この表示領域区画壁８２及び演出装置２５は、遊技盤１の後方に配される後述する表示ユニット１７０の画像表示面に近接するように配される（当接はしない）ようになっており、特図変動表示ゲームに対応した表示ゲームなどの表示領域を区画するものである。
すなわち、表示ユニット１７０の画像表示面のうち、視認開口８７の周縁に沿って形成された表示領域区画壁８２及び演出装置２５で囲まれた領域が遊技盤１の前面側から視認可能な表示領域（視認領域）となる。また、表示領域区画壁８２が遊技盤１と表示ユニット１７０との間の空間の側壁を構成する側部囲い壁をなす。これによって、第１遊技領域１ａの大部分に表示ユニット１７０の画像が表示されることとなる。また後述するように、この遊技盤本体１ｂの裏面側における表示領域区画壁８２及び演出装置２５で囲まれた領域の一部が、遊技球が流下可能な第２遊技領域２０とされている。
【００５２】
演出装置２５は、内部に演出部材と、この演出部材を駆動する駆動装置が設けられており、遊技の進行に合わせて演出部材を視認開口８７に現出させることで、遊技の演出を行うものである。
【００５３】
ベース盤８１の裏面には、左右の端部に隣接する位置に、後方へ突出する押圧部８３，８３，…が上下に形成されている。
押圧部８３，８３，…は、遊技盤１の裏面側に配される表示ユニット１７０の前面（表示ユニット１７０の外枠をなす表示ユニットケースの前面）に、その後端部が当接するようになっている。この表示ユニット１７０は、表示ユニット付勢手段（圧縮コイルばね等）によって前側に付勢されているので、押圧部８３，８３，…と表示ユニット１７０は密着した状態で保持されるようになっている。
【００５４】
また、押圧部８３，８３，…は、ベース盤８１に形成された基部８３ａと、基部８３ａの後端部にねじによって取り付けられた摩擦係数が低い材質（例えば、ポリアセタール、金属）からなる押圧部材８３ｂとを有している。さらに、ベース盤８１の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００５５】
ベース盤８１の裏面側であって、視認開口８７の下側には、取付ベース８５が設けられている。取付ベース８５には、遊技盤１の遊技領域に設けられる始動入賞口１０、普通変動入賞装置３、特別変動入賞装置４、一般入賞口２，２などに入賞した遊技球を流下させる入賞球流路が設けられている。入賞球流路は、遊技機１００の外部（島設備の回収樋）に連通する図示しない流路に接続するようになっている。
【００５６】
また、取り付けベース８５には、図示しない遊技制御装置等が配設される。遊技制御装置３０は、ＣＰＵ、ＲＡＭ、ＲＯＭ等を有し、遊技の進行を統括的に制御するものである。
【００５７】
遊技盤本体１ｂの前面側に形成された第１遊技領域１ａ内には、遊技盤１の装飾や遊技球を流下案内する遊技装置として、普図始動ゲート６、始動入賞口１０、普通変動入賞装置３、特別変動入賞装置４が設けられている。また、遊技装置として、一般入賞口形成部材１４，１４に設けられた一般入賞口２，２、風車と呼ばれる打球方向変換部材１１，１１、多数の遊技釘１５，１５，・・、流下方向規制装置７、入賞口などに入賞しなかった遊技球を回収するアウト口５、ランプ・ＬＥＤなどの遊技盤装飾装置（図示略）などが設けられている。さらに、遊技装置として、遊技盤本体１ｂの裏面側に設けられた第２遊技領域２０への導入口をなすワープ入口１２、第２遊技領域２０からの導出口１３が設けられている。
【００５８】
普図始動ゲート６は、遊技球が上下に通過可能なゲートであり、その内部には遊技球の通過を検出するゲートセンサ（図示略）が設けられている。そして、該ゲートセンサで遊技球が検出されることに基づき普図変動表示ゲームの始動条件が成立する。
普図変動表示ゲームは、遊技盤１の前面側に設けられた図示しない普図変動表示器にて表示される。また、遊技盤１の前面側には、未処理となっている普図変動表示ゲームの回数をＬＥＤの点滅で表示する図示しない普図始動記憶表示器が設けられている。
【００５９】
始動入賞口１０及び普通変動入賞装置３は、第１遊技領域１ａの下部にあって、その内部には遊技球の流入を検出する始動口センサ（図示略）が設けられている。すなわち、始動入賞口１０及び普通変動入賞装置３は、特図始動入賞口であって、始動口センサ（図示略）で遊技球が検出されることに基づき特図変動表示ゲームの始動条件が成立する。
特図変動表示ゲームは、遊技盤１の前面側に設けられた図示しない特図変動表示器にて表示される。また、遊技盤１の前面側には、未処理となっている特図変動表示ゲームの回数をＬＥＤの点滅で表示する図示しない特図始動記憶表示器が設けられている。
【００６０】
特図変動表示器で実行される特図変動表示ゲームに対応する表示ゲームが表示ユニット１７０の画像表示面に表示される。この特図変動表示ゲームに対応した表示ゲームの表示領域は、遊技盤裏面構成部材８０に形成された表示領域区画壁８２によって区画された領域であって、透明な材質からなる遊技盤本体１ｂを通して、その裏面側に配された表示ユニット１７０の画像表示面を視認可能な領域となっている。
【００６１】
なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面における表示ゲームの表示態様も特別結果態様（例えば、「７，７，７」等のゾロ目数字の何れか）となる。
【００６２】
普通変動入賞装置３は、左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０．５秒間）逆「ハ」の字状に開いて普通変動入賞装置３に遊技球が流入し易い状態（遊技者にとって有利な状態）に変化する。これにより、特図変動表示ゲームの始動が容易となる。
【００６３】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。図４には、特別変動入賞装置４が開状態となっている場合を示している。
なお、開閉扉４ａは、大入賞口ソレノイド（図示略）により駆動される。また、大入賞口の内部（入賞領域）には、該大入賞口に入った遊技球を検出するための大入賞口用センサ（図示略）が配設されている。
【００６４】
一般入賞口形成部材１４，１４は、第１遊技領域１ａの下部に位置する遊技領域区画壁９に沿って配されており、前面側には一般入賞口２，２が形成されている。
一般入賞口２，２には、当該一般入賞口２，２に入った遊技球を検出するための一般入賞口センサ（図示略）が配設されている。
また、一般入賞口形成部材１４，１４は、遊技に関連した装飾が施されて不透明となっているとともにＬＥＤなどを備えており、遊技盤１の装飾を行う遊技盤装飾装置の一部をなしている。
【００６５】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が後述の排出発射制御装置３４の制御により排出装置１９０によって貯留皿に排出される。
【００６６】
流下方向規制装置７は、第１遊技領域１ａとなる遊技盤本体１ｂの前面に廂状に突出するように取り付けられている。
流下方向規制装置７は、透光性を有する材質からなる部材で、鎧部７ａとその左右端に接続した案内部７ｂ，７ｂとから下向きに開口するように形成されている。また、流下方向規制装置７は、第１遊技領域１ａの中央部に配され、第１遊技領域１ａの中央部分を区画するようになっている。
これによって、第１遊技領域１ａに発射されて流下する遊技球が第１遊技領域１ａの左右に振り分けられ、第１遊技領域１ａの中央部分における画像表示面の視認性が保たれる。
【００６７】
鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができる。
【００６８】
案内部７ｂ，７ｂは、鎧部７ａの端部に連続して下方に向かって延在するように形成され、第１遊技領域１ａの中央部分に対して左右に配される。案内部７ｂ，７ｂは、鎧部７ａで左右に振り分けられた遊技球が中央部分へ戻らないように下方へ案内する。
【００６９】
案内部７ｂの下端部には、ワープ流路２４ａへの入口となるワープ入口１２が、流下方向規制装置７の左側又は右側（案内部７ｂと、対向する遊技領域区画壁９との間）を流下する遊技球を受け入れ可能に形成されている。また、遊技盤本体１ｂにおけるワープ入口１２が配される部分には、前後に貫通したワープ孔が形成され、ワープ入口１２から流入した遊技球を、遊技盤本体１ｂの裏面側に形成された後述する第２遊技領域２０へ誘導可能とする。
【００７０】
図４に示すように、遊技盤本体１ｂの前面側に形成された第１遊技領域１ａ内には、鎧部７ａに沿って遊技球を流下させる通常流路Ｒ１が形成される。
さらに、本実施形態では、流下方向規制装置７の左半分に沿って、遊技装置としての裏
面流路形成部材４０を設け、遊技球を遊技盤１の裏面側（正確には、遊技盤本体１ｂの前面よりも後方側）を流下させた後、遊技領域１ａに復帰させる裏面流路Ｒ２を形成する。
【００７１】
図６に示すように、裏面流路形成部材４０は、遊技盤本体１ｂに裏面流路形成部材４０の外形と同じ形状で形成された開口部２６に、裏面流路形成部材４０の前面（後述するカバー部材４２の前面）が遊技盤本体１ｂの前面と同一平面をなすように遊技盤本体１ｂの後方から嵌合され、ネジ留め等の適当な取り付け方法により固着される。
裏面流路形成部材４０及び裏面流路Ｒ２の詳細な説明は、後述する。
【００７２】
遊技盤本体１ｂの裏面側における表示領域区画壁８２で囲まれた領域内には、遊技装置としてのステージ部材２１が配されている。
ステージ部材２１は、透光性を有する材質からなる板状の部材であって、より具体的には、左右両側が中央に向かって下る傾斜面となっているとともに、中央部が上向きに突出した略Ｗ字状に形成されている。また、ステージ部材２１は、左右の端部が表示領域区画壁８２の内周面と近接するように配され、後端部は表示領域区画壁８２の後端部と等しい前後位置に配されている。
【００７３】
遊技盤本体１ｂの裏面におけるワープ入口１２と対応する位置には、遊技装置としてのワープ流路形成部材２４が配されている。
ワープ流路形成部材２４は、透光性を有する材質からなる部材で、ワープ入口１２に流入してワープ孔を通って遊技盤本体１ｂの裏面に至った遊技球を、ステージ２１ａ上に誘導するワープ流路２４ａを備える。
【００７４】
ワープ流路２４ａは、遊技球を一列で流下可能な筒状の流路であって、その入口となる上流側端部は遊技盤本体１ｂに形成されたワープ孔に接続されており、ここから遊技盤本体１ｂの裏面に沿って遊技盤本体１ｂの側端方向へ屈曲し、出口となる下流側端部はステージ２１ａの側端部の上方に近接した位置に配される。これによって、第１遊技領域１ａからワープ入口１２に流入した遊技球は、ワープ流路２４ａを通って第２遊技領域２０におけるステージ部材２１の上面に形成されたステージ２１ａに誘導されることとなる。
【００７５】
ステージ２１ａには、上述したワープ流路２４ａを流下した遊技球が誘導されるようになっており、ステージ２１ａに誘導された遊技球は、略Ｗ字状の傾斜に沿って左右に転動する。
【００７６】
ステージ部材２１の中央部は、遊技盤本体１ｂに形成された導出口１３の後方に位置するように形成されており、ステージ２１ａは、導出口形成部材２３によって形成された導出口１３の底面に連続する。これによって、ステージ２１ａ上を転動する遊技球は前側へ誘導され、導出口１３から第１遊技領域１ａへ導出されることとなる。
【００７７】
また、ステージ２１ａの左右方向の中央であって、遊技球が転動する面の下側には、遊技球が流下可能な流路である球誘導路２２の後方部分が形成されている。
球誘導路２２は、前後方向に沿って延在するように形成された、遊技球が一個流下可能な内径を有する筒状の流路で、前側に向かって下るように傾斜している。この球誘導路２２の下流側端部はステージ部材２１の前端部に開口しており、導出口形成部材２３に形成された球誘導路２２の前方部分に接続する。
【００７８】
この球誘導路２２には、ステージ２１ａから垂直に下方へ延在する流入流路２１ｃが接続されている。この流入流路２１ｃは、ステージの左右方向の中央に形成されており、流入口２１ｄとなる上流側端部がステージ２１ａ上に開口している。また、ステージ２１ａの上面であって流入流路２１ｃの流入口２１ｄの後側には、ステージ２１ａ上を転動する遊技球を流入口２１ｄに誘導するように、前後方向に沿って延在し、流入口２１ｄに向かって下る傾斜を有する溝部２１ｅが形成されている。この他にステージ２１ａの上面には、遊技球の転動態様に変化を与えるリブ２１ｆや突条２１ｇが形成されている。
【００７９】
第１遊技領域１ａにおける始動入賞口１０の上側には、第２遊技領域２０からの導出口１３が形成されている。
導出口１３は、遊技盤本体１ｂに形成された前後に貫通した導出孔に導出口形成部材２３を取り付けることで構成されている。導出口形成部材２３は、遊技盤本体１ｂと略同じ厚みを有し、導出孔に嵌め込まれる部分に導出口１３を形成する筒状の開口２３ａが形成されている。筒状の開口２３ａの内周面における下側の面（導出口１３の底面）は、後方に配されるステージ２１ａの形状に合わせた曲面とされているとともに前側に傾斜するようにされており、ステージ２１ａから前側に誘導された遊技球を第１遊技領域１ａに誘導可能とされている。
また、筒状の開口２３ａの下側の面の下方には、ステージ２１ａの下方に前後方向に沿って延在するように形成された球誘導路２２の後方部分と連通する球誘導路２２の前方部分が形成され、これらによって、前後方向に延在する球誘導路２２が形成される。
導出口形成部材の前端部に位置する球誘導路２２の下流側端部は、始動入賞口１０の直上に位置するようになっており、ここを流下した遊技球は高い確率で始動入賞口１０に流入する。
【００８０】
上述したように、本実施形態に係る遊技機１００は、遊技領域（第１遊技領域）１ａが形成される遊技盤１の前面に、遊技球が所定の遊技領域に流下するように案内する廂状の鎧部７ａが配設されている。
また、遊技機１００において、流下方向規制装置７の左半分に沿って、裏面流路形成部材４０が設けられており、この裏面流路形成部材４０によって遊技球を遊技盤１の裏面側（正確には、遊技盤本体１ｂの前面よりも後方側）を流下させた後、遊技領域１ａに復帰させる裏面流路Ｒ２が形成される。
【００８１】
図７は、裏面流路形成部材４０を右前方から見た分解斜視図である。図８は、裏面流路形成部材４０を左後方から見た分解斜視図である。図９は、裏面流路形成部材４０を左側方から見た側面図である。
図７〜９に示すように、裏面流路形成部材４０は、本体部材４１と、カバー部材４２とで構成される。
【００８２】
本体部材４１は、透光性を有する材質からなり、底面を側壁で囲繞することで遊技盤１の後方に向けて凹室を形成する部材である。
本体部材４１は、鎧部７ａに沿って設けられ遊技球を左方に流下させる上部裏面流路形成部４１１と、案内部７ｂに沿って設けられ遊技球を下方向に流下させる側部裏面流路形成部４１２とを有する。
【００８３】
上部裏面流路形成部４１１は、左右方向に延び、後方に向けて遊技球２個分の高さを有する凹室４１１ａを形成する。
上部裏面流路形成部４１１の下側壁は、左端部が鉤状に形成され（鉤部４１１ｃ）、鉤部４１１ｃの一辺において側部裏面流路形成部４１２の右側壁に連結し、鉤部４１１ｃの他辺において側部裏面流路形成部４１２の底面に連結する。したがって、上部裏面流路形成部４１１の左端部には、遊技球１個分の高さを有する凹室４１１ｂが形成されることとなる。
【００８４】
側部裏面流路形成部４１２は、正面視で左案内部７ｂの左側遊技領域のほぼ半分にわたる大きさを有し、後方に向けて遊技球１個分の凹室４１２ａを形成する。側部裏面流路形
成部４１２の左側壁上部には、凹室４１２ａの内側に向けて下方に湾曲する第１誘導部４１２ｃが形成され、左側壁下端部には、凹室４１２ａの内側に向けて下方に湾曲する第２誘導部４１２ｄが形成される。この第１誘導部４１２ｃ又は第２誘導部４１２ｄは、ここに到達した遊技球が、後述するカバー部材４２に形成された開口部４２２ｂ又は４２２ｃから遊技領域１ａに復帰するように誘導する。また、側部裏面流路形成部４１２の底面には、遊技釘を植設するための取付孔４１２ｂ、４１２ｂ、・・が形成されている。
【００８５】
カバー部材４２は、上部裏面流路形成部４１１に対応する上部板と４２１と側部裏面流路形成部４１２に対応する側部板４２２とからなり、正面視で本体部材４１と同形状に形成され、本体部材４１の開口を閉塞する。
上部板４２１の右端部には、遊技領域１ａから遊技球を裏面流路Ｒ２に導入する導入口４２１ａが形成されている。上部板４２１の導入口４２１ａ左端には、本体部材４１の後方に向けて遊技球を案内するガイド部４２１ｂが形成されている。
【００８６】
側部板４２２の左端上部であって第１誘導部４１２ｃに対応する位置には、遊技球を遊技領域１ａに導出する第１導出口４２２ａが形成され、側部板４２２の左端下部であって第２誘導部４１２ｄに対応する位置には、遊技球を遊技領域１ａに導出する第２導出口４２２ｂが形成されている。
側部板４２２において、第１導出口近傍及び第２導出口近傍には、遊技釘４３を植設するための貫通孔が形成される。
【００８７】
側部板４２２の貫通孔に遊技釘４３，４３，・・を貫通させ、側部裏面流路形成部４１２の取付孔４１２ｂ、４１２ｂ、・・に固着することで、遊技釘４３，４３，・・はほぼ垂直に植設される。このようにして、本体部材４１にカバー部材４１が取り付けられ、裏面流路形成部材４０が構成される。なお、遊技釘４３，４３，・・は、通常流路Ｒ１と裏面流路Ｒ２にほぼ同じ長さだけ臨む長さとされる。
また、裏面流路形成部材４０が遊技盤１に取り付けられたとき、第１導出口４２２ａは普図始動ゲート６の上流に位置し、第２導出口４２２ｂはワープ入口１２の上流に位置することとなる。
【００８８】
上述した裏面流路形成部材４０が遊技盤本体１ｂの開口部２６に取り付けられることにより、遊技機１００には、遊技領域１ａ内で前記鎧部７ａに沿って遊技球を流下させる通常流路Ｒ１と透明の隔壁（カバー部材）４２によって区画され、遊技球を遊技盤１の裏面側を流下させて遊技領域１ａに復帰させる裏面流路Ｒ２が形成される。このとき、カバー部材４２の前面は、遊技盤１の前面と同一平面となり、遊技盤１の一部をなす。
また、隔壁（カバー部材）４２の鎧部下流近傍には、通常流路Ｒ１と裏面流路Ｒ２の両方に臨むように遊技釘が植設される。
【００８９】
図１０は、通常流路Ｒ１と裏面流路Ｒ２を上方から見て模式的に示した平面図である。
図１０に示すように、鎧部７ａに打ち込まれた遊技球は、遊技盤１の前面とガラス板１４１（図１参照）との間に形成される空間において、鎧部７ａに形成された微小高さの案内凸部７ｃを通過すると、鎧部７ａに沿って形成される通常流路Ｒ１を流下する。案内凸部７ｃは、鎧部７ａに落下した遊技球を、通常流路Ｒ１と裏面流路Ｒ２の何れかに分別するために設けられる。
【００９０】
一方、鎧部７ａに打ち込まれた遊技球は、案内凸部７ｃによって裏面流路Ｒ２側に誘導されると、カバー部材４２に形成された導入口４２１ａから裏面流路Ｒ２に導入され、裏面流路Ｒ２を流下する。
裏面流路Ｒ２に導入された遊技球は、そのまま側部裏面流路形成部４１２の凹室４１２ａに流下するか、上部裏面流路形成部材４１１の後方側（底面側）を流下して凹室４１１ｂに衝突し球速を落とした後、側部裏面流路形成部４１２の凹室４１２ｂに流下することになる。
【００９１】
なお、カバー部材４２には、ガイド部４２１ｂが形成されており、遊技球を上部裏面流路形成部材４１１の後方側に誘導するようになっている。また、上部裏面流路形成部材４１１の下側壁を後方に向けて下方に傾斜させ、遊技球が上部裏面流路形成部材１４１の後方側を流下しやすい構造としてもよい。また、上部裏面流路形成部材１４１の凹室４１１ｂには、緩衝部材を設けることで効率よく遊技球の球速を落とすとともに、凹室４１１ｂが破損するのを防止することができる。
【００９２】
このように、鎧部７ａに到達した遊技球は、通常流路Ｒ１又は裏面流路Ｒ２のいずれかを流下するように分別される。そして、遊技球は、通常流路Ｒ１又は裏面流路Ｒ２において、以下の挙動を示しながら流下する。
【００９３】
図１１は、通常流路Ｒ１を流下する遊技球の挙動の一例を示す説明図である。
図１１に示すように、通常流路Ｒ１を流下した遊技球は、鎧部７ａの部分を通過すると、流下速度を維持したまま、鎧部７ａの下流近傍に位置する特定の遊技釘４３に衝突する。このとき、遊技球は、遊技釘４３の遊技盤前面側（カバー部材４２の前面側）４３ａに衝突することとなる。そして、遊技領域１ａにおいて、その他の遊技釘や入賞具等に衝突を繰り返しながら流下する。
【００９４】
図１２、図１３は、裏面流路Ｒ２を流下する遊技球の挙動の一例を示す説明図である。
図１２、図１３に示すように、裏面流路Ｒ２を流下した遊技球は、鎧部７ａに対応する部分を通過すると、流下速度を維持したまま、又は凹室４１１ｂに衝突した後、鎧部７ａの下流近傍に位置する遊技釘４３に衝突する。このとき、遊技球は、遊技釘４３の遊技盤１の背面側（カバー部材４２の背面側）４３ｂに衝突することとなる。
【００９５】
図１２に示すように、遊技球が第１導出口４２２ａから遊技領域１ａに復帰された場合は、遊技球は普図始動ゲート６の上流に誘導されて普図始動ゲート６を通過したり、遊技領域１ａにおいて、その他の遊技釘や入賞具等に衝突を繰り返しながら流下したりする。
また、図１３に示すように、遊技球が第２導出口４２２ｂから遊技領域１ａに復帰された場合は、遊技球はワープ入口１２の上流に誘導されてワープ流路２４ａに導入されたり、遊技領域１ａにおいて、その他の遊技釘や入賞具等に衝突を繰り返しながら流下したりする。
【００９６】
上述したように、遊技機１００において、遊技球が通常流路Ｒ１を流下するときは遊技釘４３の隔壁（カバー部材４２）前面側４３ａに衝突し、裏面流路Ｒ２を流下するときは遊技釘４３の隔壁（カバー部材４２）背面側４３ｂに衝突する。
このように、遊技球は、通常流路Ｒ１と裏面流路Ｒ２のいずれかに分別されて流下し、鎧部７ａ下流に植設された遊技釘４３の異なる部位（カバー部材４２の前面側４３ａ又は背面側４３ｂ）に衝突するので、遊技釘４３の一カ所に撃力が加わっていた従来の遊技機に比べて遊技釘が折れにくくなる。
また、隔壁となるカバー部材４２は透明の部材で形成されるので、裏面流路Ｒ２を流下する遊技球を視認することができる。したがって、遊技球が遊技盤１の裏面を流下することで遊技球の挙動を視認できなくなり、遊技の興趣が損なわれることはない。
【００９７】
また、カバー部材４２には、遊技球の流下を乱雑ならしめるため、複数の遊技釘が植設されている。具体的には、従来の遊技機において鎧部７ａの下流に植設されていたのと同様の配置で遊技釘４３がカバー部材４２に植設される。
これにより、遊技球の挙動を複雑にできるので、従来の遊技機に比較して遊技球の挙動に差はないため、遊技の興趣がそがれる虞はない。
【００９８】
遊技機１００において、通常流路Ｒ１及び裏面流路Ｒ２の下流には、遊技球が通過又は入賞する入賞具（普図始動ゲート）６が設けられ、裏面流路Ｒ２は、入賞具の上流に遊技球を誘導して復帰させる第１誘導出口（第１導出口）を有している。
これにより、遊技球が裏面流路Ｒ２を流下する場合でも入賞具への入賞の機会が与えられる。また、入賞具に入賞するときは遊技盤１の前面を通るため、遊技球が入賞するのを直接視認できるので、従来機に比較して興趣をそがれることはない。
【００９９】
また、通常流路Ｒ１及び裏面流路Ｒ２の下流には、遊技球を第２遊技領域２０に誘導するワープ流路２４ａが設けられ、裏面流路Ｒ２は、ワープ流路２４ａの上流に遊技球を誘導して復帰させる第２の誘導出口（第２導出口）を有している。
これにより、遊技球が裏面流路Ｒ２を流下する場合でもワープ流路２４ａへの入賞の機会が与えられる。また、ワープ流路２４ａに流入するときは遊技盤１の前面を通るため、遊技球がワープ流路２４ａに流入するのを直接視認できるので、従来機に比較して興趣をそがれない。
【０１００】
また、裏面流路Ｒ２を形成する裏面流路形成部材４０の本体部４１には、遊技釘４３が植設された領域より上流に、遊技釘４３に遊技球が直接当たるのを防ぐ緩衝部としての凹室４１１ｂが設けられている。
これにより、裏面流路Ｒ２を流下する遊技球の流下速度は緩衝部４１１ｂで遅くなり、遊技釘４３に加わる撃力は緩和されるので、さらに遊技釘は折れにくくなる。
【０１０１】
本実施形態の遊技機１００は、透明樹脂製の遊技盤１を用い、該遊技盤１の後方に表示装置（表示ユニット１７０）を配置した、遊技領域の全面において表示装置による画像表示を可能とする、いわゆる全面液晶タイプの遊技機である。
このような全面液晶タイプの遊技機では、透明な遊技盤１が用いられるので、通常流路Ｒ１と裏面流路Ｒ２を区画する隔壁（カバー部材４２）を透明とすることで遊技盤１の一部が透明になるという違和感は生じることはなく、興趣がそがれるのを回避できる。
【０１０２】
以上、本発明者によってなされた発明を実施形態に基づいて具体的に説明したが、本発明は上記実施形態に限定されるものではなく、その要旨を逸脱しない範囲で変更可能である。
例えば、上記実施形態では、遊技盤１に開口部２６を形成し、この開口部２６に裏面流路形成部材４０（本体部材４１，カバー部材４２）を嵌合させて取り付ける構成としているが、透明な遊技盤１に遊技球の導入口（カバー部材４２の導入口４２１ａに相当）及び導出口（カバー部材４２の導出口４２２ａ，４２２ｂに相当）を設け、遊技盤１に本体部材４１を直接取り付ける構成としてもよい。この場合、遊技盤１自体が、通常流路Ｒ１と裏面流路Ｒ２とを区画する隔壁となる。
【０１０３】
また、隔壁としてのカバー部材４２に植設される遊技釘４３は、カバー部材４２の前面側と背面側に分離可能な構造としてもよい。これにより、遊技釘４３の植設作業が極めて容易となる。特に、全面液晶タイプの遊技機の遊技盤１を隔壁として用いる場合に有効である。
【０１０４】
さらに、本発明に係る裏面流路Ｒ２は、鎧部近傍だけでなく、遊技球の流下速度が速く遊技釘が折れやすい傾向にある領域に適用することができる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０６】
１  遊技盤
６  普図始動ゲート（入賞具）
７  流下方向規制装置
７ａ  鎧部
７ｂ  案内部
１２  ワープ入口
２４ａ  ワープ流路
４０  裏面流路形成部材
４１  本体部材
４２  カバー部材
４２１ａ  導入口
４２２ａ  第１導出口
４２２ｂ  第２導出口
４３  遊技釘
Ｒ１  通常流路
Ｒ２  裏面流路
【図１】
2011235186.tif 000003
【図２】
2011235186.tif 000004
【図３】
2011235186.tif 000005
【図４】
2011235186.tif 000006
【図５】
2011235186.tif 000007
【図６】
2011235186.tif 000008
【図７】
2011235186.tif 000009
【図８】
2011235186.tif 000010
【図９】
2011235186.tif 000011
【図１０】
2011235186.tif 000012
【図１１】
2011235186.tif 000013
【図１２】
2011235186.tif 000014
【図１３】
2011235186.tif 000015